(57)【要約】【課題】標準型、プラグイン型、ボックス型の配線用遮断器の端子において、前記端子タイプを容易に選択して着脱できる配線用遮断器用端子モジュール及び端子モジュールを装着した配線用遮断器を提供する。【解決手段】配線用遮断器用端子モジュールは、標準型、プラグイン型、又はボックス型から選択的に備えられ、固定接触子に電気的に接続される複数の端子と、前記端子を個別に固定支持するために、前記端子と対応する個数だけ、前記端子に対応するように標準型、プラグイン型、又はボックス型から選択されて備えられる複数の端子ベースと、前記端子、又は端子ベースのタイプに関係なく、前記複数の中間組立体を一括して支持する１つの共通支持ベースとから構成され、本発明の配線用遮断器は、このように構成される本発明の端子モジュールを着脱可能に備える。【選択図】図１
2008166247.tif 000002
【特許請求の範囲】
【請求項１】
配線用遮断器の固定接触子に接続される配線用遮断器用端子モジュール組立体において、
相別に備えられる複数の前記固定接触子に対応する数で、標準型、プラグイン型、又はボックス型から選択的に備えられ、前記固定接触子に電気的に接続される複数の端子と、
前記端子を個別に固定支持するために、前記端子と対応する数で、前記標準型、プラグイン型、又はボックス型から選択された前記端子に対応するように標準型、プラグイン型、又はボックス型から選択されて備えられ、前記それぞれの端子とともにそれぞれ組み立てられて前記端子モジュールの複数の中間組立体を形成する複数の端子ベースと、
前記中間組立体とともに組み立てられることにより、前記配線用遮断器のケースを開かなくても前記配線用遮断器に標準型、プラグイン型、又はボックス型のいずれかを選択的に装着するか、又は、前記配線用遮断器から分離可能な最終端子モジュール組立体を形成し、前記端子又は前記端子ベースのタイプに関係なく、前記複数の中間組立体を一括して支持する１つの共通支持ベースと
から構成されることを特徴とする配線用遮断器用端子モジュール組立体。
【請求項２】
前記ボックス型の端子ベースは、前記ボックス型端子を揺動が防止されるように支持する複数の支持突部を有するフレーム型部材を備えることを特徴とする請求項１に記載の配線用遮断器用端子モジュール組立体。
【請求項３】
端子モジュール組立体を装着した配線用遮断器において、
電源又は負荷側の電線に接続するために前記配線用遮断器の外側に突出する端部を有する、相別に備えられる複数の固定接触子と、
前記固定接触子の端部に電気的に接続され、前記配線用遮断器に標準型、プラグイン型、又はボックス型から選択的に装着又は分離できる端子モジュール組立体と
から構成され、
ここで、前記端子モジュール組立体は、
複数の前記固定接触子に対応する数で、標準型、プラグイン型、又はボックス型のいずれかが選択的に備えられ、前記固定接触子の端部に電気的に接続される複数の端子と、
前記端子を個別に固定支持するために、前記端子と対応する数で、前記標準型、プラグイン型、又はボックス型のいずれか選択された前記端子に対応するように標準型、プラグイン型、又はボックス型のいずれかが選択されて備えられ、前記それぞれの端子とともにそれぞれ組み立てられて前記端子モジュールの複数の中間組立体を形成する複数の端子ベースと、
前記中間組立体とともに組み立てられることにより、前記配線用遮断器のケースを開かなくても前記配線用遮断器に標準型、プラグイン型、又はボックス型のいずれかを選択的に装着するか、又は、前記配線用遮断器から分離可能な最終端子モジュール組立体を形成し、前記端子又は端子ベースのタイプに関係なく、前記複数の中間組立体を一括して支持する１つの共通支持ベースと
を含むことを特徴とする端子モジュールを装着した配線用遮断器。
【請求項４】
前記ボックス型の端子ベースは、前記ボックス型端子を揺動が防止されるように支持する複数の支持突部を有するフレーム型部材を備えることを特徴とする請求項３に記載の端子モジュールを装着した配線用遮断器。
【発明の詳細な説明】
【技術分野】
【０００１】
本発明は、配線用遮断器に関し、特に、配線用遮断器の端子部をモジュール組立体（assembly）で構成して迅速に端子モジュール組立体を交換することにより、標準型、プラグイン型、又はボックス型の端子タイプを迅速に切り替えられる配線用遮断器用端子モジュール組立体及び前記端子モジュール組立体を装着した配線用遮断器に関する。
【背景技術】
【０００２】
一般に、配線用遮断器は、電気回路上の過電流、地絡電流、又は短絡電流などの事故電流発生時、自動的に回路を遮断して回路及び負荷を保護する電気機器である。
【０００３】
配線用遮断器は、前記回路の電源側及び負荷側を接続するための端子部と、配線用遮断器内で固定接触子と可動接触子を接触又は分離することにより前記回路を開閉する開閉機構と、回路上の前記事故電流を感知して前記開閉機構を回路遮断位置にトリップするトリップ機構（trip mechanism）とから構成される。
【０００４】
前記端子部は、固定接触子の外側突出端部及び端子を含む。前記端子のタイプとしては、前記電源側及び負荷側回路の電線が「リング型」又は「Ｕ字型」の端子を有する場合に多く利用されるボックス型端子と、配線用遮断器をプラグインベース上の端子挿入口に差し込んで前記回路と接続するプラグイン型端子と、回路の一般断面が丸い電線であるときに多く利用される一般バー型の端子を有する標準型端子がある。
【０００５】
従来は、配線用遮断器のメーカは、このような端子を配線用遮断器と一体型製品として製造し、端子のみを別途に提供していなかったため、配線用遮断器の設置環境によって端子のタイプを変換する必要がある場合、使用者は、必要なタイプの端子を有する配線用遮断器を購入して交換しなければならないという不便があった。
【０００６】
このような不便を解消するために、本願の出願人は、特許文献１（発明の名称「配線用遮断器のモジュール式端子構造」）のようなモジュール式端子構造を提案した。
【０００７】
本願出願人が提案した前記配線用遮断器のモジュール式端子構造は、必要な端子タイプを交換するために配線用遮断器全体を購入しなければならないという問題は解消できたが、通常の３相交流用配線用遮断器において負荷側と電源側のそれぞれ３つ、すなわち、トータル６つの端子モジュールをそれぞれねじを使用して配線用遮断器に組み立てることは、メーカ側でも使用者側でも長時間を要するという問題があった。
【０００８】
また、端子モジュール自体が数十ミリメートルの小さい部品であるので、これを別途に生産、包装、及び販売することが困難であり、使用者側もこのような小さい部品を配線用遮断器に組み立てることが困難であるという問題があった。
【０００９】
さらに、配線用遮断器自体が交換可能な端子モジュールを接続できるように、接続構造、例えば、レールが備えられたタイプでなければならないという制約があった。
【００１０】
【特許文献１】大韓民国特許公開番号２００６−００８７３４４
【発明の開示】
【発明が解決しようとする課題】
【００１１】
本発明は、前述したような問題を解消するために提案されたものであり、本発明の目的は、端子モジュールを配線用遮断器の電源側と負荷側に対してそれぞれ３相一体型組立体で構成することにより、生産者側でも生産、包装、及び販売が簡便であり、使用者側でも端子のみを必要なタイプに簡便に交換できる配線用遮断器の端子モジュール組立体を提供することにある。
【００１２】
本発明の他の目的は、前記端子モジュール組立体を装着した配線用遮断器を提供することにある。
【００１３】
本発明のさらに他の目的は、前記端子モジュール組立体に組み立てられる端子モジュールを相別に又は電源側、負荷側別に多様に組み合わせることにより、配線用遮断器の設置環境に応じて構成できる配線用遮断器の端子モジュール組立体とこの端子モジュール組立体を装着した配線用遮断器を提供することにある。
【課題を解決するための手段】
【００１４】
このような目的を達成するために、本発明による配線用遮断器用端子モジュール組立体は、配線用遮断器の固定接触子に接続される配線用遮断器用端子モジュール組立体において、相別に備えられる複数の前記固定接触子に対応する数で、標準型、プラグイン型、又はボックス型から選択的に備えられ、前記固定接触子に電気的に接続される複数の端子と、前記端子を個別に固定支持するために、前記端子と対応する数で、前記標準型、プラグイン型、又はボックス型から選択された前記端子に対応するように標準型、プラグイン型、又はボックス型から選択されて備えられ、前記それぞれの端子とともにそれぞれ組み立てられて前記端子モジュールの複数の中間組立体を形成する複数の端子ベースと、前記中間組立体とともに組み立てられることにより、前記配線用遮断器のケースを開かなくても前記配線用遮断器に標準型、プラグイン型、又はボックス型のいずれかを選択的に装着するか、又は、前記配線用遮断器から分離可能な最終端子モジュール組立体を形成し、前記端子又は前記端子ベースのタイプに関係なく、前記複数の中間組立体を一括して支持する１つの共通支持ベースとから構成される。
【００１５】
また、本発明による端子モジュールを装着した配線用遮断器は、端子モジュール組立体を装着した配線用遮断器において、電源又は負荷側の電線に接続するために前記配線用遮断器の外側に突出する端部を有する、相別に備えられる複数の固定接触子と、前記固定接触子の端部に電気的に接続され、前記配線用遮断器に標準型、プラグイン型、又はボックス型から選択的に装着又は分離できる端子モジュール組立体とから構成され、ここで前記端子モジュール組立体は、複数の前記固定接触子に対応する数で、標準型、プラグイン型、又はボックス型のいずれかが選択的に備えられ、前記固定接触子の端部に電気的に接続される複数の端子と、前記端子を個別に固定支持するために、前記端子と対応する数で、前記標準型、プラグイン型、又はボックス型のいずれか選択された前記端子に対応するように標準型、プラグイン型、又はボックス型のいずれかが選択されて備えられ、前記それぞれの端子とともにそれぞれ組み立てられて前記端子モジュールの複数の中間組立体を形成する複数の端子ベースと、前記中間組立体とともに組み立てられることにより、前記配線用遮断器のケースを開かなくても前記配線用遮断器に標準型、プラグイン型、又はボックス型のいずれかを選択的に装着するか、又は、前記配線用遮断器から分離可能な最終端子モジュール組立体を形成し、前記端子又は端子ベースのタイプに関係なく、前記複数の中間組立体を一括して支持する１つの共通支持ベースとを含む。
【００１６】
前記本発明の目的とこれを達成する発明の構成及びその作用効果は、添付図面を参照した本発明の好ましい実施形態についての以下の詳細な説明によってより明確になるであろう。
【発明の効果】
【００１７】
本発明による端子モジュール組立体及びこれを装着した配線用遮断器を提供することにより、端子モジュールを配線用遮断器の電源側と負荷側に対してそれぞれ３相一体型組立体で構成することで、生産者側でも生産、包装、及び販売が簡便化でき、使用者側でも端子部のみを必要なタイプに簡便に交換できる配線用遮断器の端子モジュール組立体とこれを装着した配線用遮断器が提供できるという効果がある。
【００１８】
また、本発明により、前記端子モジュール組立体に組み立てられる端子モジュールを相別に又は電源側、負荷側別に多様に組み合わせることにより、配線用遮断器の設置環境に応じて構成できる配線用遮断器の端子モジュール組立体とこのような端子モジュール組立体を装着した配線用遮断器が提供できるという効果がある。
【発明を実施するための最良の形態】
【００１９】
以下、添付図面を参照して本発明による配線用遮断器用端子モジュール組立体及び前記端子モジュール組立体を装着した配線用遮断器について説明する。
【００２０】
図１は、本発明による配線用遮断器用端子モジュール組立体が選択的に配線用遮断器に装着できることを示す説明図であり、図１に示すように、配線用遮断器１の３相、すなわち、Ｒ相、Ｓ相、Ｔ相用固定接触子の端部１ａ〜１ｆが配線用遮断器１の外側に突出して備えられる。
【００２１】
図１において、固定接触子の端部１ａ〜１ｃが電源側電線接続用端部である場合、負荷側電線接続用端部は、３つのうち１つの端部１ｄのみ示されている。
【００２２】
図１に示すように、標準型端子モジュール組立体１０、プラグイン型端子モジュール組立体２０、及びボックス型端子モジュール組立体３０は、３相一体型に組み立てられて配線用遮断器１の電源側の３つの固定接触子の端部１ａ〜１ｃ及び負荷側の３つの固定接触子の端部１ｄ〜１ｆ（１ｅ、１ｆは図示されていない）にそれぞれ簡便に組み立てることができる。
【００２３】
図２は、本発明による標準型端子モジュール組立体の構成及び組立動作を示す分解斜視図である。
【００２４】
図２において、本発明による標準型端子モジュール組立体は、標準型端子２と、標準型端子ベース３と、共通支持ベース４とから構成される。
【００２５】
標準型端子２は、平たい略Ｔ字型のバー状の導電体で構成され、標準型端子ベース３に組み立てられる。
【００２６】
標準型端子２の両側部には、標準型端子ベース３にスライド挿入されるライド挿入突部（符号なし）が段差形成される。
【００２７】
標準型端子ベース３は、胴部３ａと、該胴部３ａの下部から水平方向の四方に突出して延設される下板部３ｂと、胴部３ａの上部から水平方向の四方に突出して延設される上板部３ｃと、該上板部３ｃの両側面から上方に延設され、上板部３ｃの上面とともに標準型端子２の側部の前記スライド挿入突部が挿入される案内溝を形成することにより、標準型端子２の装着を案内して支持する案内突部３ｄとを含む。
【００２８】
胴部３ａの両側面、胴部３ａから突出して延設された下板部３ｂ、及び上板部３ｃが形成する空間により、共通支持ベース４への装着のためのスライド溝部３ｅが標準型端子ベース３の両側に形成される。
【００２９】
案内突部３ｄ及び上板部３ｃの上面により形成される前記案内溝の高さは、標準型端子２の厚さより所定の遊びだけ高い。
【００３０】
下板部３ｂの両側上面のうち長手方向の中心部に備えられる接触力強化用突起部３ｆが、標準型端子ベース３を共通支持ベース４に組み立てるときに接触力を強化することにより、標準型端子ベース３が共通支持ベース４に強固に組み立てられる。
【００３１】
共通支持ベース４は、外壁４ａ、４ｄと内壁４ｂ、４ｃを備える。内壁４ｂ、４ｃは、両外壁４ａ、４ｄ間に備えられ、該外壁４ａ、４ｄとともにＲ、Ｓ、Ｔの相別端子設置空間を提供する。
【００３２】
共通支持ベース４の外壁４ａと内壁４ｂ間、外壁４ｄと内壁４ｃ間、及び内壁４ｂと内壁４ｃ間には、標準型端子ベース３のスライド溝部３ｅに挿入されるレール４ｅが備えられる。
【００３３】
レール４ｅの上面は、標準型端子ベース３の上板部３ｃが載置される支持部の役割も果たす。
【００３４】
共通支持ベース４のレール４ｅと標準型端子ベース３のスライド溝部３ｅの挿入による接続は、標準型端子ベース３のスライド溝部３ｅの高さがレール４ｅの高さより遊びを有して多少高く形成されることにより可能である。
【００３５】
それぞれの外壁４ａ、４ｄと内壁４ｂ、４ｃの内面のうちレール４ｅの上面から予め決定された距離だけ離隔した位置には、共通支持ベース４に標準型端子ベース３を組み立てるときに標準型端子ベース３の挿入限界を決定するストッパ４ｆが備えられる。
【００３６】
レール４ｅの上面からストッパ４ｆまでの予め決定された距離は、端子ベース３の上板部３ｃの厚さと標準型端子２の厚さを合わせた厚さより、予め決定された遊びだけ大きい。
【００３７】
共通支持ベース４の内壁４ｂ、４ｃの上面には、本発明による標準型端子モジュール組立体１０を配線用遮断器に、より詳しくは、配線用遮断器の端子部絶縁隔壁（図１の固定接触子の端部１ａ〜１ｃの上部前面に突出した仕切り部分）に組み立てるために端子モジュール組立体組立用ねじＳが挿入されるねじ挿入口４ｇが形成される。
【００３８】
以下、このように構成される本発明による標準型端子モジュール組立体の組立方法について説明する。
【００３９】
案内突部３ｄと上板部３ｃの上面により形成される前記案内溝に標準型端子２のスライド挿入突部をスライド挿入することにより、標準型端子２と標準型端子ベース３を組み立てる。
【００４０】
このように、標準型端子モジュール中間組立体１０ａ、１０ｂが組み立てられる。
【００４１】
標準型端子モジュール中間組立体１０ａ、１０ｂを相別に組み立てた後、標準型端子ベース３のスライド溝部３ｅにレール４ｅが挿入されるように、標準型端子モジュール中間組立体１０ａ、１０ｂを共通支持ベース４の外壁４ａと内壁４ｂ間、外壁４ｄと内壁４ｃ間、及び内壁４ｂと内壁４ｃ間に押し込むと、図３に示すように、本発明による標準型端子モジュール組立体が完成する。
【００４２】
図３は、本発明による標準型端子モジュール組立体１０の組立状態を示す斜視図である。
【００４３】
図３に示すように、標準型端子モジュール組立体１０の外壁４ａと内壁４ｂ間、外壁４ｄと内壁４ｃ間、及び内壁４ｂと内壁４ｃ間に、それぞれの相別標準型端子モジュール中間組立体が装着される。
【００４４】
図３において、これら相別標準型端子モジュール中間組立体のうち１つの符号、すなわち、１０ａのみを表示した。
【００４５】
図３に示すように、ストッパ４ｆにより相別標準型端子モジュール中間組立体の挿入が制限され、ストッパ４ｆの下に標準型端子２が装着され、一対のレール４ｅ間に胴部３ａが挿入される。
【００４６】
図３の符号４ｇは、標準型端子モジュール組立体１０を配線用遮断器に固定するためのねじ挿入口であり、内壁４ｂ及び内壁４ｃのそれぞれに上下貫通して形成される。
【００４７】
図４は、本発明による標準型端子モジュール組立体を配線用遮断器に組み立てる方法を示す説明図である。
【００４８】
２つの標準型端子モジュール組立体１０を準備し、それぞれの標準型端子モジュール組立体１０の内壁と外壁を配線用遮断器１の端子部絶縁隔壁（図４の端子カバーＣの下に延びる壁）に当接するように下部から矢印方向（上方）に押し上げる。
【００４９】
次に、各標準型端子モジュール組立体１０にそれぞれ１つ又は２つの端子モジュール組立体組立用ねじＳをねじ挿入口（図２及び図３の４ｇ）から配線用遮断器のねじ挿入口に挿入されるようにねじ回しで締めると、簡単に標準型端子モジュール組立体１０と配線用遮断器１の組立が完了する。
【００５０】
標準型端子モジュール組立体１０と配線用遮断器１の分離は、組立と逆順に行えばよい。
【００５１】
前述したように、組立が完了すると、配線用遮断器１の電源側及び負荷側固定接触子の端部１ａ〜１ｆは、標準型端子モジュール組立体１０の標準型端子２に電気的及び機械的に接触する状態となる。
【００５２】
以下、本発明による標準型端子モジュール組立体１０と配線用遮断器１の組立が完了した状態で、電源側又は負荷側回路の電線を接続する方法について説明する。
【００５３】
すなわち、それぞれの固定接触子の端部１ａ〜１ｆ上に電線の端部を置いた後、前記端子カバーＣのねじ回し挿入孔Ｃ１からねじ回しを挿入してねじ（図示せず）を締めると、前記ねじの頭部分と固定接触子の端部１ａ〜１ｆ間に前記電線が挟まれて電源側又は負荷側回路の電線接続が完了する。
【００５４】
電線の分離は、前記接続の方法を逆順に行えばよい。
【００５５】
一方、図５は、本発明による標準型端子モジュール組立体と配線用遮断器の組立完了状態の配線用遮断器の一実施形態を示す斜視図であり、図５に示すように、配線用遮断器１に標準型端子モジュール組立体１０が組み立てられた状態を示し、この状態は、前記電源側又は負荷側回路の電線を接続するための準備が完了した状態である。
【００５６】
図６は、本発明によるプラグイン型端子モジュール組立体の構成と組立動作を示す分解斜視図である。
【００５７】
図６に示すように、本発明によるプラグイン型端子モジュール組立体は、プラグイン型端子２１と、プラグイン型端子ベース２２と、共通支持ベース４とから構成される。
【００５８】
プラグイン型端子２１は、ピン型の導電体で構成されるプラグ部２１ａと、該プラグ部２１ａから延設されるベース接続部２１ｂとから構成され、プラグイン型端子ベース２２に組み立てられる。
【００５９】
プラグ部２１ａとベース接続部２１ｂ間には、ベース接続部２１ｂをプラグイン型端子ベース２２に挿入するとき、挿入長さを決定する段差部（符号なし）が備えられる。
【００６０】
プラグイン型端子２１のベース接続部２１ｂは、８角形又は６角形の柱状に形成されることが好ましい。
【００６１】
ベース接続部２１ｂをプラグイン型端子ベース２２のプラグ部接続用延長部２２ｆ内のプラグイン型端子ベース２２の上部まで延設された対応孔の内周面に締まり嵌めで挿入する。
【００６２】
このように、プラグイン型端子２１のベース接続部２１ｂとプラグイン型端子ベース２２の組立により、プラグイン型端子モジュール中間組立体２０ａ、２０ｂが形成される。
【００６３】
プラグイン型端子ベース２２は、胴部２２ａと、該胴部２２ａの下部から水平方向の四方に突出して延設される下板部２２ｂと、胴部２２ａの上部から水平方向の四方に突出して延設される上板部２２ｃとを含む。
【００６４】
胴部２２ａの両側面と該胴部２２ａから突出して延設された下板部２２ｂ及び上板部２２ｃが形成する空間により、共通支持ベース４への装着のためのスライド溝部２２ｄがプラグイン型端子ベース２２の両側に形成される。
【００６５】
下板部２２ｂの両側上面の長手方向の中心部に備えられた接触力強化用突起部２２ｅが、プラグイン型端子ベース２２を共通支持ベース４に組み立てるときに接触力を強化することにより、プラグイン型端子ベース２２が共通支持ベース４に強固に組み立てられる。
【００６６】
共通支持ベース４は、外壁４ａ、４ｄと内壁４ｂ、４ｃを備える。内壁４ｂ、４ｃは、両外壁４ａ、４ｄ間に備えられ、外壁４ａ、４ｄとともにＲ、Ｓ、Ｔの相別端子設置空間を提供する。
【００６７】
共通支持ベース４の外壁４ａと内壁４ｂ間、外壁４ｄと内壁４ｃ間、及び内壁４ｂと内壁４ｃ間に、プラグイン型端子ベース２２のスライド溝部２２ｄに挿入されるレール４ｅが備えられる。
【００６８】
レール４ｅの上面は、プラグイン型端子ベース２２の上板部２２ｃが載置される支持部の役割も果たす。
【００６９】
このような共通支持ベース４のレール４ｅとプラグイン型端子ベース２２のスライド溝部２２ｄとの挿入による接続は、プラグイン型端子ベース２２のスライド溝部２２ｄの高さ、すなわち、下板部２２ｂと上板部２２ｃ間の距離がレール４ｅの高さより遊びを有して多少高く設定されることにより可能になる。
【００７０】
共通支持ベース４の内壁４ｂ、４ｃ上には、本発明によるプラグイン型端子ベース２２を配線用遮断器に、より詳しくは、配線用遮断器の端子部絶縁隔壁（図１の固定接触子の端部１ａ〜１ｃの上部前面に突出した仕切り部分）に組み立てるために端子モジュール組立体組立用ねじＳが挿入されるねじ挿入口４ｇが備えられる。
【００７１】
以下、このように構成される本発明によるプラグイン型端子モジュール組立体の組立方法について説明する。
【００７２】
まず、プラグイン型端子２１のベース接続部２１ｂをプラグイン型端子ベース２２のプラグ部接続用延長部２２ｆ内のプラグイン型端子ベース２２の上部まで延設された対応孔の内周面に締まり嵌めで挿入する。
【００７３】
プラグイン型端子ベース２２とプラグイン型端子２１の組立によりプラグイン型端子モジュール中間組立体２０ａ、２０ｂが形成される。
【００７４】
プラグイン型端子モジュール中間組立体２０ａ、２０ｂを相別に組み立てた後、プラグイン型端子ベース２２のスライド溝部２２ｄにレール４ｅが挿入されるように、プラグイン型端子モジュール中間組立体２０ａ、２０ｂを共通支持ベース４の外壁４ａと内壁４ｂ間、外壁４ｄと内壁４ｃ間、及び内壁４ｂと内壁４ｃ間に押し込む。
【００７５】
それにより、図７に示すように、本発明によるプラグイン型端子モジュール組立体が完成する。
【００７６】
図７は、本発明によるプラグイン型端子モジュール組立体２０の組立状態を示す斜視図である。
【００７７】
以下、図８及び図９を参照して本発明によるプラグイン型端子モジュール組立体を配線用遮断器に組み立てる方法を説明する。
【００７８】
図８は、本発明によるプラグイン型端子モジュール組立体を配線用遮断器に組み立てる方法を示す説明図であり、図９は、本発明によるプラグイン型端子モジュール組立体と配線用遮断器の組立完了状態を示す斜視図である。
【００７９】
２つのプラグイン型端子モジュール組立体２０を準備し、それぞれのプラグイン型端子モジュール組立体２０の内壁と外壁を配線用遮断器１の端子部絶縁隔壁（図４の端子カバーＣの下に延びる壁を参照）に当接するように両矢印方向に押し込む。
【００８０】
次に、各標準型端子モジュール組立体１０にそれぞれ１つ又は２つの端子モジュール組立体組立用ねじＳをねじ挿入口（図６の４ｇ）から配線用遮断器の相対ねじ挿入口に挿入されるようにねじ回しで締めると、簡単にプラグイン型端子モジュール組立体２０と配線用遮断器１の組立が完了する。
【００８１】
プラグイン型端子モジュール組立体２０と配線用遮断器１の分離は、組立と逆順に行えばよい。
【００８２】
前述したように組立が完了すると、配線用遮断器１の電源側及び負荷側固定接触子の端部１ａ〜１ｆは、プラグイン型端子モジュール組立体２０のプラグイン型端子２１のベース接続部２１ｂの端部に接触してプラグイン型端子２１に電気的及び機械的に接触した状態となる。
【００８３】
以下、本発明によるプラグイン型端子モジュール組立体２０と配線用遮断器１の組立完了状態で、電源側又は負荷側回路を接続する方法について説明する。
【００８４】
すなわち、前記接続方法は、プラグイン型端子モジュール組立体２０のプラグイン型端子（図６の符号２１）、より詳しくは、プラグイン型端子２１のプラグ部２１ａをプラグインベースの電源側挿入口及び負荷側挿入口に挿入することにより、簡単に行われる。
【００８５】
回路からの分離は、前記接続とは反対に、プラグイン型端子２１のプラグ部２１ａをプラグインベースの電源側挿入口及び負荷側挿入口から分離することにより行われる。
【００８６】
図９は、本発明によるプラグイン型端子モジュール組立体２０と配線用遮断器１の組立完了状態を示す配線用遮断器の他の実施形態の斜視図であり、この状態は、前記電源側又は負荷側回路を接続するための準備が完了した状態である。
【００８７】
以下、図１０及び図１１を参照して本発明によるボックス型端子モジュール組立体の構成と組立について説明する。
【００８８】
図１０は、本発明によるボックス型端子モジュール組立体の構成と組立動作を示す分解斜視図であり、図１１は、本発明によるボックス型端子モジュール組立体の組立状態を示す斜視図である。
【００８９】
図１０に示すように、本発明によるボックス型端子モジュール組立体は、ボックス型端子３１と、ボックス型端子ベース３２と、共通支持ベース４とから構成される。
【００９０】
ボックス型端子３１は、前後が連通開放されたボックス型胴部３１ｃと、該胴部３１ｃ内で垂直方向に移動可能であり、回路（図示せず）の電線と固定接触子端部をクランプするのためのクランプ板３１ｂと、該クランプ板３１ｂと連動するように接続され、胴部３１ｃの上部に形成された雌ねじ部（図示せず）により支持されるクランプ板駆動ねじ３１ａとから構成され、ボックス型端子ベース３２に組み立てられる。
【００９１】
ボックス型端子３１の胴部３１ｃは、前後が連通開放されたリング状の軟鉄で構成することもでき、図１０に示すように、帯状の軟鉄を前後が連通開放されたリング状に折曲して構成することもできる。
【００９２】
ボックス型端子ベース３２は、胴部３２ａと、該胴部３２ａの下部から水平方向の四方に突出して延設される下板部３２ｂと、胴部３２ａの上部から水平方向の四方に突出して延設される上板部３２ｃと、該上板部３２ｃから上方に延設されるフレーム形状のフレーム型部材３２ｄと、該フレーム型部材３２ｄの長手方向の内側壁面に形成され、ボックス型端子３１の胴部３１ｃとの接触力を強化（接触面積を拡大）するための複数の支持突部３２ｅとから構成される。
【００９３】
図１０において、胴部３２ａの両側面と胴部３２ａから突出して延設された下板部３２ｂ及び上板部３２ｃが形成する空間により、共通支持ベース４への装着のためのスライド溝部３２ｆがボックス型端子ベース３２の両側に形成される。
【００９４】
下板部３２ｂの両側上面の長手方向の中心部に備えられる接触力強化用突起部３２ｇが、ボックス型端子ベース３２を共通支持ベース４に組み立てるときに接触力を強化することにより、ボックス型端子ベース３２が共通支持ベース４に強固に組み立てられる。
【００９５】
共通支持ベース４は、外壁４ａ、４ｄと内壁４ｂ、４ｃを備える。内壁４ｂ、４ｃは、両外壁４ａ、４ｄ間に備えられて外壁４ａ、４ｄとともにＲ、Ｓ、Ｔの相別端子設置空間を提供する。
【００９６】
共通支持ベース４の外壁４ａと内壁４ｂ間、外壁４ｄと内壁４ｃ間、及び内壁４ｂと内壁４ｃ間に、ボックス型端子ベース３２のスライド溝部３２ｆに挿入されるレール４ｅが備えられる。
【００９７】
レール４ｅの上面は、ボックス型端子ベース３２の上板部３２ｃが載置される支持部の役割も果たす。
【００９８】
このような共通支持ベース４のレール４ｅとボックス型端子ベース３２のスライド溝部３２ｆの挿入による接続は、ボックス型端子ベース３２のスライド溝部３２ｆの高さ、すなわち、下板部３２ｂと上板部３２ｃ間の距離がレール４ｅの高さより遊びを有して多少高く設定されることにより可能になる。
【００９９】
共通支持ベース４の内壁４ｂ、４ｃ上には、本発明によるボックス型端子ベース３２を配線用遮断器に、より詳しくは、配線用遮断器の端子部絶縁隔壁（図１の固定接触子の端部１ａ〜１ｃの上部前面に突出した仕切り部分）に組み立てるために、端子モジュール組立体組立用ねじＳが挿入されるねじ挿入口4ｇが備えられる。
【０１００】
以下、このように構成される本発明によるボックス型端子モジュール組立体の組立方法について説明する。
【０１０１】
まず、ボックス型端子３１の胴部３１ｃをボックス型端子ベース３２のフレーム型部材３２ｄ内に押し込んでボックス型端子ベース３２とボックス型端子３１を組み立てることにより、ボックス型端子モジュール中間組立体３０ａ、３０ｂを形成する。
【０１０２】
ボックス型端子モジュール中間組立体３０ａ、３０ｂは、前述したように、相別に組み立てられる。
【０１０３】
次に、ボックス型端子ベース３２のスライド溝部３２ｆにレール４ｅが挿入されるように、プラグイン型端子モジュール中間組立体３０ａ、３０ｂを共通支持ベース４の外壁４ａと内壁４ｂ間、外壁４ｄと内壁４ｃ間、及び内壁４ｂと内壁４ｃ間に押し込むと、図１１に示すような本発明によるボックス型端子モジュール組立体が完成する。
【０１０４】
図１１は、本発明によるボックス型端子モジュール組立体３０の組立状態を示す斜視図である。
【０１０５】
以下、本発明によるボックス型端子モジュール組立体を配線用遮断器に組み立てる方法について説明する。
【０１０６】
図１２は、本発明によるボックス型端子モジュール組立体を配線用遮断器に組み立てる方法の説明図であり、図１３は、本発明によるボックス型端子モジュール組立体と配線用遮断器の組立完了状態を示す斜視図である。
【０１０７】
電源側と負荷側の回路接続用として、２つのボックス型端子モジュール組立体３０を準備し、それぞれのボックス型端子モジュール組立体３０の内壁と外壁を配線用遮断器１の端子部絶縁隔壁（図４の端子カバーＣの下に延びる壁を参照）に当接するように両矢印方向に押し込む。
【０１０８】
次に、各ボックス型端子モジュール組立体３０にそれぞれ１つ又は２つの端子モジュール組立体組立用ねじＳをねじ挿入口（図１０の４ｇ）から配線用遮断器の相手ねじ挿入口に挿入されるようにねじ回しで締めると、簡単にボックス型端子モジュール組立体３０と配線用遮断器１の組立が完了し、図１３に示すような状態となる。
【０１０９】
ボックス型端子モジュール組立体３０と配線用遮断器１の分離は、組立と逆順に行えばよい。
【０１１０】
前述したように組立が完了すると、配線用遮断器１の電源側及び負荷側固定接触子の端部１ａ〜１ｆは、ボックス型端子モジュール組立体３０の胴部３１ｃ内に挿入された状態となる。
【０１１１】
以下、本発明によるボックス型端子モジュール組立体３０と配線用遮断器１の組立完了状態で電源側又は負荷側回路を接続する方法について説明する。
【０１１２】
まず、ボックス型端子モジュール組立体３０の端子カバーのねじ回し挿入孔内にねじ回しを挿入してクランプ板駆動ねじ３１ａを回してクランプ板（図１０の３１ｂ）を上昇させる。
【０１１３】
この状態で、電源側及び負荷側固定接触子の端部１ａ〜１ｆ上に電源側及び負荷側電線を置き、再びねじ回しでクランプ板駆動ねじ３１ａを回してクランプ板（図１０の３１ｂ）を下降させる。
【０１１４】
従って、前記電線がクランプ板３１ｂと固定接触子の端部１ａ〜１ｆ間にクランプされ、回路の電線と配線用遮断器１の端子部間の電気的接続が完了する。
【０１１５】
回路からの分離は、前記接続過程とは逆に、クランプ板駆動ねじ３１ａを反対に回してクランプ板（図１０の３１ｂ）を上昇させた状態で、回路の電線を分離することにより行われる。
【０１１６】
図１３は、本発明によるボックス型端子モジュール組立体３０と配線用遮断器１の組立完了状態の配線用遮断器のさらに他の実施形態を示す斜視図であり、この状態は、前記電源側又は負荷側回路を接続するための準備が完了した状態である。
【０１１７】
図１４及び図１５に示すように、本発明により、３相端子モジュールに対して１つの共通装着フラットフォーム（flatform）として、１つの共通支持ベース４に、標準型端子モジュール中間組立体１０ａと、プラグイン型端子モジュール中間組立体２０ａと、ボックス型端子モジュール中間組立体３０ａとを多様に装着できる。
【０１１８】
すなわち、本発明により、１つの共通装着フラットフォーム（flatform）である共通支持ベース４に、Ｒ相には標準型端子モジュール中間組立体１０ａが、Ｓ相にはプラグイン型端子モジュール中間組立体２０ａが、Ｔ相にはボックス型端子モジュール中間組立体３０ａが装着できる。
【０１１９】
共通支持ベース４に、Ｒ相には標準型端子モジュール中間組立体１０ａが、Ｓ相にはプラグイン型端子モジュール中間組立体２０ａが、Ｔ相にはボックス型端子モジュール中間組立体３０ａが装着された端子モジュール組立体（図１４及び図１５を参照）は、図１６に示すように、配線用遮断器１の端子部に前述した方法で組み立てることができる。
【０１２０】
また、図１７に示すように、配線用遮断器１の端子部のうち、電源側端子部には標準型端子モジュール組立体１０が装着され、負荷側端子部にはプラグイン型端子モジュール組立体２０が装着される実施形態も可能である。
【図面の簡単な説明】
【０１２１】
【図１】本発明による配線用遮断器用端子モジュール組立体が選択的に配線用遮断器に装着できることを示す説明図である。
【図２】本発明による標準型端子モジュール組立体の構成及び組立動作を示す分解斜視図である。
【図３】本発明による標準型端子モジュール組立体の組立状態を示す斜視図である。
【図４】本発明による標準型端子モジュール組立体を配線用遮断器に組み立てる方法を示す説明図である。
【図５】本発明の一実施形態により、標準型端子モジュール組立体の配線用遮断器への組立が完了した状態を示す斜視図である。
【図６】本発明によるプラグイン型端子モジュール組立体の構成及び組立動作を示す分解斜視図である。
【図７】本発明によるプラグイン型端子モジュール組立体の組立状態を示す斜視図である。
【図８】本発明によるプラグイン型端子モジュール組立体を配線用遮断器に組み立てる方法を示す説明図である。
【図９】本発明によるプラグイン型端子モジュール組立体が配線用遮断器に組立完了した状態を示す配線用遮断器の他の実施形態の斜視図である。
【図１０】本発明によるボックス型端子モジュール組立体の構成及び組立動作を示す分解斜視図である。
【図１１】本発明によるボックス型端子モジュール組立体の組立状態を示す斜視図である。
【図１２】本発明によるボックス型端子モジュール組立体を配線用遮断器に組み立てる方法を示す説明図である。
【図１３】本発明によるボックス型端子モジュール組立体が配線用遮断器に組立完了した状態を示す配線用遮断器のさらに他の実施形態の斜視図である。
【図１４】本発明による配線用遮断器用端子モジュール組立体を、１つの共通支持ベースに標準型、プラグイン型、ボックス型の３種の端子モジュールが多様に組み合わせられて組み立てられることにより構成できることを示す分解斜視図である。
【図１５】本発明により、１つの共通支持ベースに標準型、プラグイン型、ボックス型の３種の端子モジュールを多様に組み合わせて組み立てることにより構成された配線用遮断器用端子モジュール組立体の組立完了状態を示す斜視図である。
【図１６】本発明により、１つの共通支持ベースに標準型、プラグイン型、ボックス型の３種の端子モジュールを多様に組み合わせて組み立てた配線用遮断器用端子モジュール組立体が配線用遮断器に装着された状態を示す斜視図である。
【図１７】本発明により、配線用遮断器の電源側接続端子部分には標準型端子モジュール組立体が装着され、配線用遮断器の負荷側接続端子部分にはプラグイン型端子モジュール組立体が装着された状態の例を示す斜視図である。
【図１】
2008166247.tif 000003
【図２】
2008166247.tif 000004
【図３】
2008166247.tif 000005
【図４】
2008166247.tif 000006
【図５】
2008166247.tif 000007
【図６】
2008166247.tif 000008
【図７】
2008166247.tif 000009
【図８】
2008166247.tif 000010
【図９】
2008166247.tif 000011
【図１０】
2008166247.tif 000012
【図１１】
2008166247.tif 000013
【図１２】
2008166247.tif 000014
【図１３】
2008166247.tif 000015
【図１４】
2008166247.tif 000016
【図１５】
2008166247.tif 000017
【図１６】
2008166247.tif 000018
【図１７】
2008166247.tif 000019